(57)【要約】【課題】はぜ式瓦棒葺きの屋根上における屋根置き設備のより安定的な保持に寄与する取付金具を提供すること。【解決手段】  取付金具（１４）は、使用時に屋根（１０）の瓦棒（１６）の上方において屋根置き設備（１２）の載置を受ける受部（３６）と、受部に連なる、互いに相対する一対の脚部であって使用時に瓦棒の両側に位置する一対の脚部（３８）とを有する支持部材（３０）と、支持部材の両脚部間に配置された、瓦棒の二条のはぜ（２６）に係止される係止部材（３１）と、支持部材の受部と係止部材とを締結するための第１の締結部材（３２）と、支持部材の両脚部を瓦棒に締結するための第２の締結部材（３４）とを備える。【選択図】図１
2017014886.tif 000002
【特許請求の範囲】
【請求項１】
はぜ式瓦棒葺きの屋根に屋根置き設備を取り付けるために使用される取付金具であって、
使用時に前記屋根の瓦棒の上方において前記屋根置き設備の載置を受ける受部及び該受部に連なり、使用時に前記瓦棒の両側に位置する一対の脚部とを有する支持部材と、
前記支持部材の両脚部間に配置された、前記瓦棒の二条のはぜに係止される係止部材と、
前記支持部材の受部と前記係止部材とを締結するための第１の締結部材と、
前記支持部材の両脚部を前記瓦棒に締結するための第２の締結部材とを備える、取付金具。
【請求項２】
前記支持部材の受部は、前記屋根置き設備の載置面をなす、屋根面の流れ方向へ伸びる一対の平坦面と、両平坦面間を前記屋根面の流れ方向へ伸びる凹面とを有し、
前記第１の締結部材は、前記凹面を貫通するボルトと前記凹面内に受け入れられ前記ボルトに螺合されたナットとからなる、請求項１記載の取付金具。
【請求項３】
さらに、前記支持部材の受部に前記屋根置き設備を締結するための第３の締結部材を備える、請求項１に記載の取付金具。
【請求項４】
前記第３の締結部材は、前記支持部材の受部に互いに間隔をおいて設けられた一のボルト孔及び他のボルト孔のいずれか一方を経て伸びるボルトと該ボルトに螺合されたナットとからなり、
使用時、前記支持部材は前記一のボルト孔と他のボルト孔とが前記屋根の流れ方向に沿って位置するように配置される、請求項３に記載の取付金具。
【請求項５】
前記支持部材の両脚部は、それぞれ、使用時に屋根面に当接する先端部分を有する、請求項１に記載の取付金具。
【請求項６】
前記支持部材の両脚部はこれらの先端部分に向けて次第に増大する相互間隔を有する、請求項１に記載の取付金具。
【請求項７】
前記係止部材は、本体と、該本体に一対のピンを介してそれぞれ連なる、鉤状の先端部分を有する一対のアーム部とからなる、請求項１に記載の取付金具。
【請求項８】
前記係止部材は、前記支持部材の受部に相対する板状の本体と、該本体に連なり、前記支持部材の両脚部に沿ってそれぞれ伸びる一対の板状のアーム部であって互いに他の一方に向けて伸びる鉤状の先端部分を有する一対のアーム部とからなる、請求項１に記載の取付金具。
【請求項９】
前記屋根置き設備は雪止め板からなり、
前記支持部材は、前記受部から前記両脚部の一部分に至る、前記雪止め板の一部の挿通を許す切れ込みを有する、請求項１に記載の取付金具。
【請求項１０】
さらに、前記支持部材の受部に前記雪止め板を固定するための固定板を備え、
前記固定板は前記第１の締結部材を介して前記支持部材の受部に固定される、請求項９に記載の取付金具。
【請求項１１】
前記支持部材の両脚部は、使用時に屋根面に当接する二対の先端部分であって互いに他の一方に対して反対方向へ伸びる二対の先端部分を有する、請求項９に記載の取付金具。
【請求項１２】
前記係止部材は、前記支持部材の受部に相対する板状の本体と、該本体に連なり、前記支持部材の両脚部に沿ってそれぞれ伸びる一対の板状のアーム部であって互いに他の一方に向けて伸びる鉤状の先端部分を有する一対のアーム部とからなり、
両アーム部はそれぞれ前記第２の締結部材の貫通を許す、前記本体に向けて伸びる長穴を有する、請求項９に記載の取付金具。
【発明の詳細な説明】
【技術分野】
【０００１】
本発明は、はぜ組みにより相互に連結された複数の溝板で葺かれた屋根（はぜ式瓦棒葺きの屋根）の上に設置されるソーラーパネルや温水器、緑化設備のような屋根置き設備を当該屋根に取り付けるために使用される取付金具に関する。
【背景技術】
【０００２】
従来、はぜ式瓦棒葺きの屋根に前記屋根置き設備を取り付けるための金具として、前記屋根置き設備を屋根上に支持するための支持部材と、該支持部材を屋根の瓦棒に固定するための締結部材とを備える取付金具が提案されている。前記支持部材は前記屋根置き設備を瓦棒の上方において載置を受ける受部と、該受部に連なり互いに相対する一対の脚部であって使用時に前記瓦棒の両側に位置する一対の脚部とからなる。
【０００３】
これによれば、前記締結部材の締め付け操作により、前記支持部材の両脚部をこれらが互いに他の一方に向けて相寄るように弾性変形させて、両脚部の先端部分で前記瓦棒を強固に挟み付けることができ、これにより、前記取付金具を前記瓦棒に固定することができる。
【先行技術文献】
【特許文献】
【０００４】
【特許文献１】特開２０１３−２２７７３２号公報
【発明の概要】
【発明が解決しようとする課題】
【０００５】
ところで、屋根の上に設置された前記屋根置き設備は自然環境下にあり、予期しない強さの風や積雪による過大な負荷を受けることがある。前記取付金具は、前記屋根置き設備がこのような過大な負荷を受ける場合にあっても、前記屋根置き設備を屋根の上に安定的に保持することが求められる。本発明は、前記従来の取付金具に鑑み、はぜ式瓦棒葺きの屋根上における前記屋根置き設備のより安定的な保持に寄与する取付金具を提供することを目的とする。
【課題を解決するための手段】
【０００６】
本発明は、はぜ式瓦棒葺きの屋根に屋根置き設備を取り付けるために使用される金具（取付金具）に係り、取付金具は、使用時に前記屋根の瓦棒の上方において前記屋根置き設備の載置を受ける受部と、該受部に連なる、互いに相対する一対の脚部であって使用時に前記瓦棒の両側に位置する一対の脚部とを有する支持部材と、該支持部材の両脚部間に配置された、前記瓦棒の二条のはぜに係止される係止部材と、前記支持部材の受部と前記係止部材とを締結するための第１の締結部材と、前記支持部材の両脚部を前記瓦棒に締結するための第２の締結部材とを備える。
【０００７】
本発明によれば、前記取付金具は、前記屋根置き設備を前記屋根上に支持する機能を担う支持部材が、その受部及び両脚部の双方において、前記瓦棒に締結され、固定される。これは、前記支持部材の両脚部間にあって前記瓦棒の二条のはぜに係止する係止部材を第１の締結部材を介して前記支持部材の受部に固定することにより、また、第２の締結部材を介して前記支持部材の両脚部を前記瓦棒に固定することにより行うことができる。その結果、屋根の瓦棒への取付金具の固定が、その支持部材の両脚部においてのみ行う従来のものと比べてより一層堅固になされ、前記屋根置き設備を前記屋根上により高い安定性を以て保持することができる。
【０００８】
記支持部材の受部が、前記屋根置き設備の載置面をなす屋根面の流れ方向へ伸びる一対の平坦面と、両平坦面間を前記屋根面の流れ方向へ伸びる凹面とを有し、また、前記第１の締結部材が、前記凹面を貫通するボルトと前記凹面内に受け入れられ前記ボルトに螺合されたナットとからなるものとすることができる。これによれば、前記ナットは前記受部の凹面内にあって両平坦面の上方に突出しないため、前記受部上への前記屋根置き設備の載置の障害とならない。
【０００９】
前記取付金具は、さらに、その支持部材の受部に前記屋根置き設備を締結するための第３の締結部材を備え、また、前記第３の締結部材が、前記支持部材の受部に互いに間隔をおいて設けられた一のボルト孔及び他のボルト孔のいずれか一方を経て伸びるボルトと該ボルトに螺合されたナットとからなり、使用時、前記支持部材が、前記一のボルト孔と他のボルト孔とが前記屋根の流れ方向に沿って位置するように配置されるものとすることができる。これによれば、前記取付金具の使用時、前記２つのボルト孔が前記屋根の流れ方向における水上側及び水下側にそれぞれ位置するところ、前記第３の締結部材を構成するボルトの挿通孔として水下側に位置するボルト孔を使用するときは、水上側に位置するボルト孔を使用する場合と比べて、前記ボルトと前記支持部材の水下側の端部との間の間隔をより小さいものとすることができ、これにより、前記取付金具上に載置される前記屋根置き設備下を水下側に突出する前記支持部材の露出をより少なくし、外観上の向上を図ることができる。
【００１０】
また、前記支持部材の両脚部は、それぞれ、使用時に屋根面に当接する先端部分を有するものとすることができる。これによれば、前記取付金具が負担する前記屋根置き設備自体の重量及びこれに作用する風、積雪等の負荷を、前記瓦棒と屋根面との双方を通して、前記屋根の野地板により効率的に伝達することができる。このこともまた前記取付金具による前記屋根置き設備の安定した保持に寄与する。
【００１１】
また、好ましくは、前記支持部材の両脚部は前記受部からこれらの先端部分に向けて漸増する相互間隔を有する。両脚部の相互間隔をこのように設定することにより、前記取付金具の設置の際、はぜ幅を異にする屋根の瓦棒の両側への前記支持部材の両脚部の配置をより容易にしあるいは可能とすることができる。
【００１２】
前記係止部材は、本体と、該本体にピンを介して連なる、鉤状の先端部分を有する一対のアーム部とからなるものとすることができる。これによれば、前記本体に対して一対のアーム部を前記ピンの周りに揺動させることができ、これにより、両アーム部の鉤状の先端部分を瓦棒の両はぜに容易に引掛けることができ、また、はぜ幅を異にする瓦棒についても両はぜに対する前記アーム部の先端部分の引掛け作業を容易に行うことができる。
【００１３】
前記係止部材は、また、前記支持部材の受部に相対する板状の本体と、該本体に連なり、前記支持部材の両脚部に沿ってそれぞれ伸びる一対の板状のアーム部であって互いに他の一方に向けて伸びる鉤状の先端部分を有する一対のアーム部とからなるものとすることができる。さらに、両アーム部がそれぞれ前記第２の締結部材の貫通を許す、前記本体に向けて伸びる長穴を有するものとすることができる。
【００１４】
前記屋根置き設備が雪止め板からなるものであるとき、前記支持部材が、前記受部から前記両脚部の一部分に至る、前記雪止め板の一部の挿通を許す切れ込みを有するものとすることができる。ここにおいて、さらに、前記支持部材の受部上に前記雪止め板を固定するための固定板を備えるものとすることができる。前記固定板は前記第１の締結部材を介して前記支持部材の受部に固定される。さらに、好ましくは、前記支持部材の両脚部は、使用時に屋根面に当接する二対の先端部分であって互いに他の一方に対して反対方向へ伸びる二対の先端部分を有する。
【図面の簡単な説明】
【００１５】
【図１】取付金具によりはぜ式瓦棒葺きの屋根に取り付けられた屋根置き設備を概略的に示す部分斜視図である。
【図２】はぜ式瓦棒葺きの屋根に屋根置き設備を取り付けた状態にある取付金具の平面図である。
【図３】はぜ式瓦棒葺きの屋根に屋根置き設備を取り付けた状態にある取付金具の正面図である。
【図４】はぜ式瓦棒葺きの屋根に屋根置き設備を取り付けた状態にある取付金具の側面図である。
【図５】取付金具を一方向の側（取付金具の配置時における屋根の水上側）から見た斜視図である。
【図６】取付金具の他方向の側（取付金具の配置時における屋根の水下側）から見た斜視図である。
【図７】取付金具の分解斜視図である。
【図８】変形例に係る取付金具によりはぜ式瓦棒葺きの屋根に取り付けられた屋根置き設備を概略的に示す部分斜視図である。
【図９】図８に示す取付金具を前記他方向の側（取付金具の配置時における屋根の水下側）から見た斜視図である。
【図１０】図８に示す取付金具を前記一方向の側（取付金具の配置時における屋根の水上側）から見た斜視図である。
【図１１】図８に示す取付金具の分解斜視図である。
【発明を実施するための形態】
【００１６】
図１〜図７及び図８〜１１にそれぞれ取付金具１４の一例とその変形例とが示されている。
【００１７】
図１を参照すると、はぜ式瓦棒葺きの屋根１０の上に屋根置き設備１２が載置され、取付金具１４により屋根１０に取り付けられている。
【００１８】
はぜ式瓦棒葺き屋根１０は、屋根の流れ方向Ｆに直角な方向（横方向）へ互いに間隔をおいて配置され屋根面の流れ方向Ｆに伸びる複数の瓦棒１６を備え、各瓦棒１６は二条のはぜ２６を有する。図２〜図４、特に図４に詳細に示すように、各はぜ２６は、野地板１８上に前記横方向へ互いに間隔をおいて配置された複数の金属製の溝板２０の端部と、溝板２０相互間に配置された金属製の溝形の通し吊子２２の端部と、通し吊子２２上に配置された金属製の溝形のキャップ２４の端部とを折り返してなる。
【００１９】
屋根置き設備１２は、屋根１０に固定された取付金具１４上に載置され、全体にＵ形を呈する固定板２８を介して取付金具１４に固定されている。屋根置き設備１２は、図示のソーラーパネル、あるいは温水器、緑化設備（図示せず）等からなる。
【００２０】
図２〜４並びに図５〜７に示すように、取付金具１４は、屋根置き設備１２を屋根１０上に支持するための支持部材３０と、瓦棒１６の二条のはぜ２６に係止される係止部材３１と、支持部材３０をその二か所において屋根１０（具体的には瓦棒１６）に固定するための第１の締結部材３２及び第２の締結部材３４とを備える。
【００２１】
瓦棒１６への支持部材３０の固定をその二か所において行うことにより、一か所で固定する場合と比べて、屋根１０に対する取付金具１４の取付状態をより堅固なものとし、これにより、屋根１０上における屋根置き設備１２の設置状態をより安定したものとすることができる。
【００２２】
図示の支持部材３０は全体に逆Ｕ字形を呈する横断面形状を有する。支持部材３０は、その横断面に直交する軸線（図示せず）の伸長方向へ伸びる板状の受部３６と、該受部に連なる板状の互いに相対する一対の脚部３８とを有する。
【００２３】
図１に示すように、取付金具１４は、その使用時、支持部材３０が屋根１０上に瓦棒１６を跨ぐように配置され、第１及び第２の両締結部材３２、３４を介して、瓦棒１６に固定される。より詳細には、支持部材３０の受部３６が係止部材３１を介して第１の締結部材３２により瓦棒１６の両はぜ２６に締結され、また、両脚部３８が第２の締結部材３４により瓦棒１６の両側面１６ａに固定される。これによれば、取付金具１４が負担する屋根置き設備１２の重量及びこれに作用する風、積雪等の負荷が瓦棒１６を通して、野地板１８に伝達される。
【００２４】
取付金具１４の使用時、支持部材３０の受部３６は屋根１０の瓦棒１６からその上方へ間隔をおいた位置にあって屋根置き設備１２の載置を受ける。また、支持部材３０の両脚部３８は瓦棒１６の両側に位置し、瓦棒１６の両側面１６ａに相対する（図１及び図４参照）。
【００２５】
支持部材３０の受部３６は、取付金具１４の使用時において屋根面の流れ方向Ｆへ伸びる一対の平坦面３６ａと、両平坦面３６ａ間を流れ方向Ｆに伸びる凹面３６ｂとを有する。受部３６の両平坦面３６ａは屋根置き設備１２の載置面をなす。また、凹面３６ｂは、後に詳述する第１の締結部材３２の一例をなすボルト３２ａ及びナット３２ｂにおけるナット３２ｂを受け入れ可能である幅寸法及び深さ寸法を有する。このことから、ナット３２ｂは両平坦面３６ａの上方に突出することなく凹面３６ｂ内に納まり、両平坦面３６ａ上への屋根置き設備１２の載置の障害とならない。
【００２６】
支持部材３０の両脚部３８はそれぞれ一対の先端部分３８ａを有する。両先端部分３８ａはそれぞれ鉤形に折り曲げられてなり、互いに他の一方に向けて伸びている。これらの先端部分３８ａは、好ましくは、取付金具１４の使用時、瓦棒１６相互間において前記屋根面に当接する。これにより、瓦棒１６に加えて、さらに前記屋根面を通して、取付金具１４が負担する前記負荷を野地板１８に伝達することができる。
【００２７】
また、両脚部３８は受部３６から先端部分３８ａに向けて次第に増大する相互間隔Ｗ（図６）を有する。相互間隔Ｗをこのように設定することにより、取付金具１４の適用対象である一の屋根と他の屋根とにおいてはぜ幅が異なることがあっても、屋根の瓦棒１６の両側に両脚部３８が位置するように取付金具１４を配置することができる。
【００２８】
支持部材３０の受部３６を屋根１０の瓦棒１６の両はぜ２６に固定するための係止部材３１は、支持部材３０の両脚部３８間に配置されている。図４及び図７に示すように、係止部材３１は、本体４０と、該本体に一対のピン４２を介してそれぞれ連なる一対のアーム部４４とからなる。両アーム部４４はそれぞれ両ピン４２の周りに揺動可能である。係止部材３１は、好ましくは、支持部材３０の前記軸線の伸長方向における中央と該軸線の伸長方向における両端の一方との間であって、取付金具１４の使用時に流れ方向Ｆにおける水上側にあるように配置する。これによれば、支持部材３０が前記水上側において瓦棒１６の両はぜ２６に固定されるため、屋根１０上の積雪が水上側から水下側に向けて及ぼす負荷によって支持部材３０が水上側において浮き上がることを防止することができる。
【００２９】
係止部材３１の本体４０は溝形の板状体からなり、互いに相対する一対の立ち上がり部分４０ａを有する。両立ち上がり部分４０ａには互いに整合する二対の孔４０ｂが設けられている。また、各アーム部４４は溝形の板状体からなる基部分４４ａと、該基部分に連なる鉤形の先端部分４４ｂとからなる。基部分４４ａには互いに整合する一対の孔４４ｃが設けられている。
【００３０】
各アーム部４４の基部分４４ａは、その一部において、本体４０の両立ち上がり部分４０ａ間に受け入れられ、その両孔４４ｃが本体４０各対の孔４０ｂに整合する。互いに整合する両孔４４ｃ及び両孔４０ｂにピン４２が通されている。これにより、各アーム部４４は、本体４０に対して、各ピン４２の周りに揺動可能とされている。また、両アーム部４４の両基部分４４ａに連なる先端部分４４ｂは、互いに他の一方に向けてわずかに相寄るように、本体４０から垂れ下がる。
【００３１】
係止部材３１は、そのピン４２が支持部材３０の前記軸線の伸長方向へ伸びるように、支持部材３０の両脚部３８間に配置され、後に詳述するように、第１の締結部材３２により支持部材３０の受部３６に吊持されている。これによれば、取付金具１４の使用時、両アーム部４４をピン４２の周りに揺動させ又は揺動させることなしに、鉤状の両先端部分４４ｂをそれぞれ屋根１０の瓦棒１６の二条のはぜ２６にその下方から引掛けることができる。このとき、互いに他の一方に向けて相寄るように垂れ下がる両先端部分４４ｂは両はぜ２６に対する引掛かり状態を維持する。
【００３２】
係止部材３１は第１の締結部材３２により支持部材３０の受部３６に締結することができる。この締結により、受部３６を瓦棒１６の両はぜ２６に固定することができる。なお、係止部材３１は、図示の例に代えて、本体４０と両アーム部４４とがピン４２を介することなしに連続して連なり、両アーム部４４が本体４０に対して非可動であるものとすることができる（図１１参照）。図１１に示す係止部材３１は、支持部材３０の受部３６に相対する板状の本体４０と、該本体に連なり、支持部材３０の両脚部３８に沿ってそれぞれ伸びる一対の板状のアーム部４４とからなる。両アーム部４４は互いに他の一方に向けて伸びる鉤状の先端部分４４ｂを有する。この例においては、両アーム部４４の相互間隔が前記はぜ幅と異なるとき、両アーム部４４を互いに他の一方に向けて又はその反対方向へ弾性変形させることにより、両アーム部４４の相互間隔、より詳細には両先端部分４４ｂの相互間隔の広狭を調整することができる。
【００３３】
図示の第１の締結部材３２は、ボルト３２ａとこれに螺合されたナット３２ｂとからなる。ボルト３２ａは、係止部材３１の本体４０に設けられその両立ち上がり部分４０ａ間の中央を貫通するボルト孔４０ｃと、支持部材３０の受部３６に設けられ該受部の凹面３６ｂを貫通するボルト孔３６ｃとを順次に経て上方へ伸び、その頭部が係止部材３１の本体４０に接している。したがって、係止部材３１は、第１の締結部材３２を介して、受部３６に吊持されている。
【００３４】
これによれば、ボルト３２ａが支持部材３０の受部３６に向けて移動するようにナット３２ｂを回すこと、すなわち締め付け操作を行うことにより、瓦棒１６の両はぜ２６に係止する係止部材３１を受部３６に向けて引き寄せ、係止部材３１を受部３６に締結することができ、これにより、支持部材３０をその受部３６において瓦棒１６に固定することができる。図示の例では、ボルト３２ａの回り止めのために該ボルトが角根丸頭ボルトで構成され、ボルト孔４０ｃが矩形孔とされている。さらに、ボルト３２ａ及びナット３２ｂ相互間の緩み防止のため、支持部材３０の受部３６と係止部材３１の本体４０との間に六角ナット３２ｄが配置され、また、ナット３２ｂが緩み止めナットで構成されている。
【００３５】
次に、図示の第２の締結部材３４は、ボルト３４ａとこれに螺合されたナット３４ｂとからなる。ボルト３４ａは、支持部材３０の両脚部３８に設けられこれらを貫通する２つのボルト孔３８ｃを経て、支持部材３０の前記軸線と直交する方向へ伸び、その頭部が一方の脚部３８に接している。他方、ナット３４ｂは他方の脚部３８に接している。両ボルト孔３８ｃは、好ましくは、図示したように、前記軸線の伸長方向における中央に位置する。また、両ボルト孔３８ａは、取付金具１４の使用時において瓦棒１６の上方に位置する。これらの両ボルト孔３８ｃに通されたボルト３４ａは両脚部３８間を係止部材３１の本体４０に隣接して伸びている。さらに、図示の例では、ボルト３４ａが回り止めのために、角根丸頭ボルトで構成され、ボルト孔３８ｃが矩形孔とされている。なお、図７における符号３４ｃ、３４ｄは、それぞれボルト３４ａに通される平座金及びばね座金を示す。
【００３６】
これによれば、ナット３４ｂを締め付け方向に回して該ナットとボルト３４ａの頭部との間隔を狭めることにより、これらの間の両脚部３８をこれらが互いに他の一方に向けて相寄るように弾性変形させ、両脚部３８の先端部分３８ａをそれぞれ瓦棒１６の両側面１６ａに押し当てることができる。その結果、支持部材３０が両脚部３８において瓦棒１６に締結され、これに固定される。好ましくは、支持部材３０の前記軸線の伸長方向における各端部に、両先端部分３８ａと共に瓦棒１６の両側面１６ａに当接する、両脚部３８の一方から他の一方に向けて突出する一対の突出部３８ｂを設ける。
【００３７】
取付金具１４は、その複数個が屋根１０の流れ方向Ｆに間隔をおいて配置され、前記したようにして瓦棒１６に固定される。図示の取付金具１４は、これに屋根置き設備１２を固定するために用いられる前記した固定板２８を取付金具１４の支持部材３０に締結するための第３の締結部材４６を備える。
【００３８】
図７に示すように、第３の締結部材４６は、ボルト４６ａとこれに螺合されたナット４６ｂとからなる。ボルト４６ａは、支持部材３０の受部３６に設けられ支持部材３０の前記軸線の伸長方向中央において凹面３６ｂを貫通するボルト孔３６ｅを経て上方へ伸びている。固定板２８は、これに設けられたボルト孔（図示せず）にボルト４６ａを通し、該ボルトにナット４６ｂを螺合させ、これを締め付け方向に回すことにより、支持部材３０の受部３６に締結、固定される。図示の例では、ボルト４６ａの回り止めのために該ボルトが角根丸頭ボルトで構成され、ボルト孔３６ｅが矩形孔とされている。なお、図７における符号４６ｃは、ボルト４６ａに通される平座金を示す。
【００３９】
また、図示の例においては、ボルト４６ａの挿通用孔として、ボルト孔３６ｅに加えて、さらに、同様のボルト孔３６ｆがボルト孔３６ｅから間隔をおいて設けられ、凹面３６ｂを貫通している。両ボルト孔３６ｅ、３６ｆは、取付金具１４の使用時、前記屋根面の流れ方向Ｆにおける水上側及び水下側にそれぞれ位置し、両ボルト孔３６ｅ、３６ｆは、これらのうちのいずれか一方が選択的に使用される。
【００４０】
水下側に位置するボルト孔３６ｆは、屋根１０の軒に最も近接して配置される取付金具１４において使用される。ボルト孔３６ｆは、支持部材３０の前記軸線の伸長方向における端部（水下側の端部）に近接していることから、水上側に位置するボルト孔３６ｅを使用する場合と比べて、屋根置き設備１２下における支持部材３０の前記端部の露出長を少なくすることができ、これにより屋根１０の外観上の向上が図られる。
【００４１】
次に、図８〜図１１を参照して、変形例に係る取付金具１４について説明する。主たる変形点は、屋根置き設備１２の一つである雪止め板（以下、説明の便宜のため、雪止め板１２と称する。）に対する適応のために取付金具１４の支持部材３０に切れ込み５０を設けたところにある。図示の雪止め板１２は山形鋼のようなアングル材からなり、互いに直交する一片部１２ａ及び他片部１２ｂを有する。雪止め板１２はその一部である一片部１２ａにおいて支持部材３０の受部３６上に載置される。このとき、切れ込み５０が雪止め板１２の他の一部である他片部１２ｂの挿通を許す。
【００４２】
図８に示すように、雪止め板１２は屋根１０の複数の瓦棒１６にそれぞれ固定された複数の取付金具１４を介して、複数の瓦棒１６の上方に配置され、これらの瓦棒１６に直交する方向へ伸びる。なお、図８には、はぜ式瓦棒葺きの屋根１０の他の一例として、図１に示す屋根１０とは異なるタイプのものが示されている。この屋根１０のはぜ式瓦棒葺きは「嵌合式縦平葺き」と称され、二条のはぜ２６を有する複数の瓦棒１６が、それぞれ、互いに隣接する２つの溝板２０の折り返し端部の一方が他方に嵌合されてなる。
【００４３】
図９〜図１１に示すように、支持部材３０の切れ込み５０は、支持部材３０の受部３６からその両脚部３８の一部分に至る。より詳細には、切れ込み５０は、受部３６から該受部をその伸長方向（取付金具１４の使用時における屋根１０の流れ方向Ｆ（図８））に直角な方向へ横切って両脚部３８をこれらの高さ方向におけるほぼ中央まで伸びている。切れ込み５０は、雪止め板１２の他片部１２ｂの挿通を許すように、雪止め板１２の他片部１２ｂの厚さ寸法よりわずかに大きい幅寸法と、雪止め板１２の他片部１２ｂの幅寸法よりわずかに大きい深さ寸法とを有する。また、切れ込み５０は、支持部材３０の受部３６の前記伸長方向に関する任意の位置に設けることができる。図示の例において、切れ込み５０は、受部３６の前記伸長方向に関する一端（取付金具１４の使用時において屋根１０の水下側の一端）から他端へ雪止め板１２の一片部１２ａの幅寸法にほぼ相当する距離をおいた位置にある。この切れ込み５０により、受部３６は２つの部分である長さ寸法が比較的小さい短部分３６Ａと比較的大きい長部分３６Ｂとに分かたれている。
【００４４】
支持部材３０の受部３６は、図５に示す一対の平坦面３６ａ及び凹面３６ｂを有するものに代えて、図１１に示すように平坦面３６ｄのみを有するものとすることができる。取付金具１４の使用時、雪止め板１２はその一片部１２ａにおいて受部３６の短部分３６Ａ上に載置され、固定板２８を介して、支持部材３０に固定される。
【００４５】
固定板２８は、全体に箱状を呈する一端部２８ａと折り曲げられてなる他端部２８ｂとを有する。固定板２８は、その一端部２８ａにおいて受部３６の長部分３６Ｂ上に載置されかつこれに固定され、その他端部２８ｂにおいて雪止め板１２の一片部１２ａを受部３６に押し付け、雪止め板１２を受部３６上に固定する作用をなす。
【００４６】
固定板２８は、係止部材３１を受部３６に吊持する第１の締結部材３２を介して、受部３６に固定される。図示の係止部材３１は、前記したように、支持部材３０の受部３６に相対する板状の本体４０と、該本体に連なり、支持部材３０の両脚部３８に沿ってそれぞれ伸びる一対の板状のアーム部４４とからなり、両アーム部４４はそれぞれ互いに他の一方に向けて伸びる鉤状の先端部分４４ｂを有する。
【００４７】
第１の締結部材３２のボルト３２ａ、より詳細にはその軸部は、係止部材３１の本体４０に設けられ該本体を貫通するボルト孔４０ｃ及び受部３６の長部分３６Ｂに設けられ該長部分を貫通するボルト孔３６ｃを経て伸び、さらに、固定板２８の一端部２８ａに設けられ該一端部を貫通するボルト孔２８ｃを経て伸び、これにナット３２ｂが螺合されている。
【００４８】
取付金具１４の使用時において、係止部材３１の両先端部分４４ｂをそれぞれ屋根１０の瓦棒１６の両はぜ２６に引掛けた後、第１の締結部材３２のナット３２ｂを回転操作する。これにより、係止部材３１が支持部材３０の受部３６に向けて移動し、第１の締結部材３２を介して受部３６に固定される。その結果、支持部材３０が瓦棒１６の両はぜ２６に締結、固定される。その後、固定板２８の一端部２８ａを貫通する第１の締結部材３２のボルト３２ａにナット３２ｅを螺合させ、これを締め付け方向に回転操作する。これにより、固定板２８を受部３６に固定することができる。
【００４９】
図示の例では、第２の締結部材３４、より詳細にはそのボルト３４ａが係止部材３１の両アーム部４４を貫通している。係止部材３１の両アーム部４４はそれぞれボルト３４ａの貫通を許す、本体４０に向けて伸びる長穴４４ｄを有する。両長穴４４ｄは、第１の締結部材３２のナット３２ｂの回転操作時における支持部材３０の受部３６に向けて係止部材３１の移動を許す長さ寸法を有する。
【００５０】
なお、図示の例においては、支持部材３０の受部３６に対する固定板２８の回転が生じないように、固定板２８の一端部２８ａに一対の突起２８ｃが設けられ、また、受部３６に両突起２８ｃをそれぞれ受け入れ可能の穴３６ｅが設けられている。
【００５１】
図示の例においては、また、各取付金具１４に「羽根」と称される比較的長さの短い雪止め板（図示せず）を取り付けるためのボルト孔３６ｇが設けられている。ボルト孔３６ｇは支持部材３０の受部３６の短部分３６Ａに設けられている。前記「羽根」は、雪止め作用をなす細長い板部と該板に直交する、ボルト孔が設けられた舌部とを有する。これによれば、前記「羽根」は、その細長い板部が（取付金具１４の使用時において屋根１０の水下側に位置する）支持部材３０の一端３０ａに面しかつ前記舌部が支持部材３０の受部３６上に位置するように配置され、前記舌部のボルト孔及び受部３６のボルト孔３６ｇとにボルトを通し、該ボルトにナットを螺合させてこれを締め付けることにより、各取付金具１４に取り付けられる。
【００５２】
さらに、支持部材３０の両脚部３８は、使用時に前記屋根面に当接する二対の先端部分であって互いに他の一方に対して反対方向へ伸びる二対の先端部分３０ｄを有する。これらの先端部分３０ｄは、前記屋根面上における取付金具１４の姿勢保持に寄与する。
【符号の説明】
【００５３】
１０  屋根
１２  屋根置き設備
１４  取付金具
１６  屋根の瓦棒
２６  瓦棒のはぜ
３０  支持部材
３１  係止部材
３２  第１の締結部材
３４  第２の締結部材
３６  支持部材における受部
３８  支持部材における脚部
４０  係止部材における本体
４４  係止部材におけるアーム部
４６  第３の締結部材
【図１】
2017014886.tif 000003
【図２】
2017014886.tif 000004
【図３】
2017014886.tif 000005
【図４】
2017014886.tif 000006
【図５】
2017014886.tif 000007
【図６】
2017014886.tif 000008
【図７】
2017014886.tif 000009
【図８】
2017014886.tif 000010
【図９】
2017014886.tif 000011
【図１０】
2017014886.tif 000012
【図１１】
2017014886.tif 000013